(57)【要約】【課題】極めて薄型の光ディスク装置においても十分な冷却を行うことができ、記録再生特性の劣化を低減させることができる光ディスク装置を提供することを目的とする。【解決手段】トレイ３は、ベゼル８側の光ディスク装着領域外部３ｅのうち、開口６ａと対向する部分は面が形成されない空隙となっている。このトレイ３に対して光ピックアップモジュール４が取り付けられるときに、空隙の上方に相当する位置であって開口６ａの上方に、気体導入部材１０が固定される。この気体導入部材１０は、トレイ３や光ピックアップモジュール４とは別個独立の部材として形成されたものであり、開口６ａに対向する側に開口３ｆを有している。【選択図】図１
2005182916.tif 000002
【特許請求の範囲】
【請求項１】
光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備え、前記トレイの第１の主面は光ディスク装着領域部と前記光ディスク装着領域部の外側に設けられた光ディスク装着領域外部を含み、前記光ディスク装着領域外部と前記光ピックアップモジュールとが対向するように前記トレイと前記光ピックアップモジュールを互いに結合させ、前記トレイの光ディスク装着領域外部であって前記第１の開口と対向する部分に空隙を設け、前記空隙の上方に相当する位置であって前記第１の開口上方に気体導入部材が固定され、この気体導入部材は前記トレイや前記光ピックアップモジュールとは別個独立の部材として形成されたものであり、前記第１の開口に対向する側に第３の開口を有することを特徴とする光ディスク装置。
【請求項２】
前記第１の主面側に光ディスクを装着し、光ディスクを回転駆動手段により回転させて光ディスクの外周部に生じる気体流を前記第３の開口を通して、前記トレイにおける前記第１の主面と反対側の第２の主面と前記筐体との間に導く手段を有することを特徴とする請求項１記載の光ディスク装置。
【請求項３】
前記第３の開口は前記第１の開口と前記光ピックアップモジュールに設けられたカバーの双方に対向して設けられたことを特徴とする請求項１記載の光ディスク装置。
【請求項４】
前記第３の開口は前記光ディスク装着領域部と連通して設けられていることを特徴とする請求項１記載の光ディスク装置。
【請求項５】
前記第１の開口は回転駆動手段と光ピックアップモジュールの外端の間に設けられ、前記第１の開口の回転駆動手段と反対側の端部は、トレイの前端面側に設けられたことを特徴とする請求項１記載の光ディスク装置。
【請求項６】
前記第３の開口が回転駆動手段に対してトレイの前端面部分に設けられたことを特徴とする請求項１記載の光ディスク装置。
【請求項７】
前記第３の開口はトレイの前端面と光ディスク装着領域部の間に設けられたことを特徴とする請求項１記載の光ディスク装置。
【請求項８】
前記第３の開口は、前記気体導入部材内に設けられた外壁によって形成され、前記外壁は光ディスクで生じた気体流の流れを阻害するように設けられていることを特徴とする請求項１記載の光ディスク装置。
【請求項９】
前記外壁は回転駆動手段の中心を通る直線と略平行であることを特徴とする請求項８記載の光ディスク装置。
【請求項１０】
前記外壁はトレイの引き出し方向と略平行に設けられたことを特徴とする請求項８記載の光ディスク装置。
【請求項１１】
前記外壁は凹状形であることを特徴とする請求項８記載の光ディスク装置。
【請求項１２】
前記筐体の中央部分の厚みが１４ｍｍ以下であることを特徴とする請求項１記載の光ディスク装置。
【発明の詳細な説明】
【技術分野】
【０００１】
本発明は、パーソナルコンピュータ，ノートブック型コンピュータなどの電子機器に搭載される光ディスク装置に関するものである。
【背景技術】
【０００２】
光ディスク装置は、ＣＤ−ＲＯＭ、ＣＤ−Ｒ／ＲＷ、ＤＶＤなどがすでに実用化されており、各方面への応用と高性能化への開発が活発に行われている。特に最近では、パーソナルコンピュータの急速な市場拡大に伴い光ディスク装置のパーソナルコンピュータへの内蔵普及率も高くなっている。
【０００３】
従来の光ディスク装置の斜視図を図９に示す。
【０００４】
図９において、１は光ディスク装置で、光ディスク装置１は、筐体２と、筐体２に出没自在に保持されたトレイ３とを有している。筐体２は、金属製の筐体部２ａ、２ｂを組み合わせて袋状であり、筐体２の開口からトレイ３が出没する構成となっている。トレイ３には裏面から光ピックアップモジュール４が取り付けられている。トレイ３の両側部には移動自在にレール３ａが設けられ、このレール３ａはトレイ３に一体に設けられたレール保持部３ｂに保持されている。なお、図９では一方の側部にのみレール３ａが設けられているが、他方の側部に同様のレールが設けられていてもよい。
【０００５】
筐体部２ａと筐体部２ｂとは図示していない係止手段と螺旋などを用いて、互いに強固に固定されている。筐体２の構成材料としては鉄，鉄合金，アルミ，アルミ合金，マグネシウム合金などの金属材料の様な導電材料が好適に用いられる。また、樹脂材料で各筐体部を構成し、その上に電着などの手法を用いて導電性の高い金属膜を形成したものを用いても良い。更に、筐体部２ａ及び筐体部２ｂそれぞれ同種の材料で構成しても良いし、異種の材料で構成しても良い。また、筐体部２ａ及び筐体部２ｂそれぞれの主平面部の平均肉厚は０．３ｍｍ〜１．６ｍｍの間であり、この平均肉厚の比較的薄い場合には筐体部２ａ及び筐体部２ｂは金属材料で構成され、例えば、金属板をプレス加工することなどによって形成される。また、平均肉厚の比較的厚い場合には筐体部２ａ及び筐体部２ｂはダイカスト（アルミ，マグネシウム合金など）で構成される。
【０００６】
光ピックアップモジュール４には光ディスクを回転駆動させるスピンドルモータ５と、スピンドルモータ５から外周にかけて開口６ａを設けた金属製のカバー６と、開口６ａから一部が露出したキャリッジ７とを少なくとも有している。キャリッジ７は光ピックアップモジュール４に設けられた複数の案内シャフトに移動自在に保持されており、しかも図示していないフィードモータによって、スピンドルモータ５に近づいたり、離れたりするように移動できる。８はトレイ３の前面に設けられたベゼルで、ベゼル８は筐体２の開口を塞ぐ程度の大きさで構成されている。
【０００７】
キャリッジ７には、高出力のレーザーダイオード等の光源，各種光学部材及び光ディスク上に光スポットを構成する対物レンズなどが搭載されている。光ディスクに記録などを行う際には、高出力の光源や、その光源を駆動するＩＣ等が必要となってくる。その結果、光源やＩＣの発熱がおびただしくなって、記録再生特性に影響を及ぼすことが生じてきている。特に図９に示すような光ディスク装置１においては、薄型化や小型化を求められているので、熱容量が低下し問題となっている。特に、筐体２の中央部分の厚みが１４ｍｍ以下、更には１０ｍｍ以下というような薄型の光ディスク装置１においては、この問題は顕著となる。
【０００８】
光ディスク装置内を冷却する方法については、例えば（特許文献１）、（特許文献２）に記載されている。
【特許文献１】特開平１１−２５６６７号公報
【特許文献２】特開２０００−２３１７８２号公報
【発明の開示】
【発明が解決しようとする課題】
【０００９】
これらは、光ディスクを回転させる際に生じる空気流をキャリッジ７に導いて、冷却する方法について記載したものであるが、これらの方法は、そもそも、筐体２の中央部の厚みが１４ｍｍ以下或いは１０ｍｍ以下の光ディスク装置を想定しておらず、このような超薄型の光ディスク装置においては、冷却効果が充分であるとはいえない。
【００１０】
本発明は、上記従来の課題を解決するもので、極めて薄型の光ディスク装置においても十分な冷却を行うことができ、記録再生特性の劣化を低減させることができる光ディスク装置を提供することを目的とする。
【課題を解決するための手段】
【００１１】
本発明は、上記の課題を解決するためになされたもので、光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備え、前記トレイの第１の主面は光ディスク装着領域部と前記光ディスク装着領域部の外側に設けられた光ディスク装着領域外部を含み、前記光ディスク装着領域外部と前記光ピックアップモジュールとが対向するように前記トレイと前記光ピックアップモジュールを互いに結合させ、前記トレイの光ディスク装着領域外部であって前記第１の開口と対向する部分に空隙を設け、前記トレイに対して前記光ピックアップモジュールが取り付けられるときに、前記空隙の上方に相当する位置であって前記第１の開口上方に気体導入部材が固定され、この気体導入部材は前記トレイや前記光ピックアップモジュールとは別個独立の部材として形成されたものであり、前記第１の開口に対向する側に第３の開口を有することを特徴とする光ディスク装置である。
【００１２】
この構成により、光ディスクの回転によって筐体と光ディスクとの間の比較的温度の低い部分の空気を効果的に筐体とトレイとの間に導いて、効率よく空気流を循環させることができ、冷却効果が高い。そのため、特に薄型化及び小型化されディスク装置の熱対策を効果的に行うことができ、熱の発生による記録再生特性の劣化などの不具合を抑制することができる。
【発明の効果】
【００１３】
本発明によると、効率よく空気流を循環させることができるので、特に薄型及び小型化された光ディスク装置の熱対策を行うことができ、熱による記録再生特性の劣化などの不具合を抑えることができる。
【発明を実施するための最良の形態】
【００１４】
本発明の請求項１の発明は、光ディスクを回転させる回転駆動手段、少なくとも光源や各種光学部材を搭載し移動自在に設けられたキャリッジ、第１の開口を設けたカバーを備えた光ピックアップモジュールと、第２の開口を有し前記第２の開口から前記光ピックアップモジュールの一部を表出させるように前記光ピックアップモジュールを取り付けたトレイと、前記トレイを出没自在に保持する筐体とを備え、前記トレイの第１の主面は光デ
ィスク装着領域部と前記光ディスク装着領域部の外側に設けられた光ディスク装着領域外部を含み、前記光ディスク装着領域外部と前記光ピックアップモジュールとが対向するように前記トレイと前記光ピックアップモジュールを互いに結合させ、前記トレイの光ディスク装着領域外部であって前記第１の開口と対向する部分に空隙を設け、前記空隙の上方に相当する位置であって前記第１の開口上方に気体導入部材が固定され、この気体導入部材は前記トレイや前記光ピックアップモジュールとは別個独立の部材として形成されたものであり、前記第１の開口に対向する側に第３の開口を有することを特徴とする光ディスク装置である。
【００１５】
この構成により、光ディスクの回転によって筐体と光ディスクとの間の比較的温度の低い部分の空気を効果的に筐体とトレイとの間に導いて、効率よく空気流を循環させることができ、冷却効果が高い。そのため、特に薄型化及び小型化されディスク装置の熱対策を効果的に行うことができ、熱の発生による記録再生特性の劣化などの不具合を抑制することができる。
【００１６】
本発明の請求項２の発明は、請求項１の発明の光ディスク装置において、前記第１の主面側に光ディスクを装着し、光ディスクを回転駆動手段により回転させて光ディスクの外周部に生じる気体流を前記第３の開口を通して、前記トレイにおける前記第１の主面と反対側の第２の主面と前記筐体との間に導く手段を有することを特徴とする。
【００１７】
この構成により、光ディスク装置において熱の発生により高温となるやすい領域に空気流を導くことができ、冷却効果を高めることができる。
【００１８】
本発明の請求項３の発明は、請求項１の発明の光ディスク装置において、前記第３の開口は前記第１の開口と前記光ピックアップモジュールに設けられたカバーの双方に対向して設けられたことを特徴とする。
【００１９】
この構成により、第３の開口の開口量を調整することで、冷却の度合いを調整することができる。
【００２０】
本発明の請求項４の発明は、請求項１の発明の光ディスク装置において、前記第３の開口は前記光ディスク装着領域部と連通して設けられていることを特徴とする。
【００２１】
この構成により、筐体と光ディスクとの間の比較的温度の低い部分の空気を、光ディスクの回転に伴って筐体とトレイとの間に導く際に、散乱させることなく直接導くことができ、空気流導入の効率がよい。
【００２２】
本発明の請求項５の発明は、請求項１の発明の光ディスク装置において、前記第１の開口は回転駆動手段と光ピックアップモジュールの外端の間に設けられ、前記第１の開口の回転駆動手段と反対側の端部は、トレイの前端面側に設けられたことを特徴とする。
【００２３】
この構成により、光ディスク装置が電子機器などに装着された際に、外気に近い側に第３の開口を配置できるため、冷却効果が高い。
【００２４】
本発明の請求項６の発明は、請求項１の発明の光ディスク装置において、前記第３の開口が回転駆動手段に対してトレイの前端面部分に設けられたことを特徴とする。
【００２５】
この構成により、光ディスク装置が電子機器などに装着された際に、外気に近い側に第３の開口を配置できるため、冷却効果が高い。
【００２６】
本発明の請求項７の発明は、請求項１の発明の光ディスク装置において、前記第３の開口はトレイの前端面と光ディスク装着領域部の間に設けられたことを特徴とする。
【００２７】
この構成により、光ディスク装置が電子機器などに装着された際に、外気に近い側に第３の開口を配置できるため、冷却効果が高い。
【００２８】
本発明の請求項８の発明は、請求項１の発明の光ディスク装置において、前記第３の開口は、前記気体導入部材内に設けられた外壁によって形成され、前記外壁は光ディスクで生じた気体流の流れを阻害するように設けられていることを特徴とする。
【００２９】
この構成により、トレイの厚みを利用して空気流を効果的に第３の開口に導くことができ、空気流による冷却を効率よく行うことができる。
【００３０】
本発明の請求項９の発明は、請求項８の発明の光ディスク装置において、前記外壁は回転駆動手段の中心を通る直線と略平行であることを特徴とし、トレイの厚みを利用して空気流を効果的に第３の開口に導くことができ、空気流による冷却を効率よく行うことができる。
【００３１】
本発明の請求項１０の発明は、請求項８の発明の光ディスク装置において、前記外壁はトレイの引き出し方向と略平行に設けられたことを特徴とし、トレイの厚みを利用して空気流を効果的に第３の開口に導くことができ、空気流による冷却を効率よく行うことができる。
【００３２】
本発明の請求項１１の発明は、請求項８の発明の光ディスク装置において、前記外壁は凹状形であることを特徴とし、トレイの厚みを利用して空気流を効果的に第３の開口に導くことができ、空気流による冷却を効率よく行うことができる。
【００３３】
本発明の請求項１２の発明は、請求項１の発明の光ディスク装置において、前記筐体の中央部分の厚みが１４ｍｍ以下であることを特徴とし、このような薄型の光ディスク装置において特に冷却効果が顕著である。
【００３４】
（実施の形態１）
以下、本発明における光ディスク装置の実施の形態について説明する。
【００３５】
図１は本発明の一実施の形態における光ディスク装置の斜視図、図２は光ピックアップモジュールの斜視図、図３はトレイのみの斜視図、図４は本発明の一実施の形態における光ディスク装置において空気流の流れを示す図である。図１では説明の為、筐体の上部を除去した状態を示している。なお、本実施の形態において、図９に示した従来の構成と同等の機能を有する要素については、同一の符号を付している。
【００３６】
トレイ３は、樹脂製のフレームで構成されている。トレイ３のディスク装着時にディスクに対向する部分には、光ディスク装着領域部３ｄが設けられており、外周は光ディスクの形状に合わせて円形状となっている。光ディスク装着領域部３ｄの外側には、光ディスク装着領域外部３ｅが設けられており、光ディスク装着領域部３ｄは光ディスク装着領域外部３ｅに対して１．５ｍｍから４ｍｍ程度（装着される光ディスクの厚みと同じかやや大きい程度）陥没した凹部を形成している。
【００３７】
本実施の形態では、トレイ３は概略方形状であり、しかも装着される最大径の光ディスクは円盤状を想定しているので、光ディスク装着領域部３ｄは前述の通り、略円形状であり、しかも光ディスク装着領域部３ｄの直径は装着される可能性のある最大径の光ディス
クの直径と同じか１ｍｍ〜７ｍｍほど大きくなっている。光ディスク装着領域外部３ｅは概略三角形状となっている。また、光ディスク装着領域部３ｄは光ディスクを装着した際には、光ディスクと対向する部分を含み外周部にわずかな隙間を有する領域を示しており、光ディスク装着領域外部３ｅは、光ディスクの主面とは全く対向しない領域である。
【００３８】
光ディスク装着領域部３ｄには開口３ｃが設けられており、開口３ｃに裏面から挿入して光ピックアップモジュール４が取り付けられている。
【００３９】
光ディスク装着領域部３ｄのほぼ中心にはスピンドルモータ５が設けられている。開口３ｃからは、スピンドルモータ５の少なくとも一部が突出しており、しかもキャリッジ７及びカバー６も表出している。
【００４０】
また、トレイ３の両側部には図９に示すものと同様に、移動自在にレール３ａが設けられ、このレール３ａはトレイ３に一体に設けられたレール保持部３ｂに保持されている。
【００４１】
光ピックアップモジュール４には光ディスクを回転駆動させるスピンドルモータ５と、スピンドルモータ５から外周にかけて開口６ａを設けた金属製或いは樹脂製のカバー６、開口６ａから一部が露出したキャリッジ７とを少なくとも有している。キャリッジ７には高出力のレーザーダイオード等の光源，各種光学部材及び光ディスク上に光スポットを構成する対物レンズ、光源を駆動するＩＣなどが搭載されている。キャリッジ７は光ピックアップモジュール４に設けられた複数の案内シャフト（図示せず）に移動自在に保持されており、しかもフィードモータ（図示せず）によって、スピンドルモータ５に近づいたり、離れたりするように移動する。
【００４２】
８はトレイ３の前端面に設けられたベゼルで、ベゼル８は筐体２の開口を塞ぐ程度の大きさで構成されている。
【００４３】
本発明の実施の形態においては、トレイ３は、図１、図２、図３に示すように、ベゼル８側の光ディスク装着領域外部３ｅのうち、光ピックアップモジュール４が取り付けられるときに、開口６ａと対向する部分は面が形成されない開口１１となっている。光ピックアップモジュール４には、開口１１の上方に相当する位置において開口６ａの上方に、気体導入部材１０が設けられている。この気体導入部材１０は、トレイ３や光ピックアップモジュール４とは別個独立の部材として形成されたものであり、開口６ａに対向する側に開口３ｆを有している。
【００４４】
ベゼル８側の光ディスク装着領域外部３ｅのうち、開口６ａと対向する部分を開口１１とし、開口３ｆを有する気体導入部材１０を設けることによって、従来の構成では光ディスク装着領域外部３ｅにおいて開口６ａは表出していないのに対して、本実施の形態では、開口６ａと対向する光ディスク装着領域外部３ｅにおいては、開口６ａは表出することとなる。
【００４５】
この構成によって実現される空気の流路を図４に示す。図４（ａ）は筐体部２ａ側から見た平面図であり、図４（ｂ）は図４（ａ）に示す断面線での断面図である。スピンドルモータ５によって回転駆動された光ディスク９によって発生した空気流は、光ディスク９の外周部で比較的強い空気流となっており、しかもその空気流は、気体導入部材１０に設けられた開口３ｆから気体導入部材１０の壁面に沿って開口６ａを通り、トレイ３の光ディスク装着側と反対側の領域（トレイ３と筐体部２ｂで挟まれた空間）に効率的に流れ込む。すると、前記反対側の領域には、高出力の光源や光源の駆動ＩＣ等が搭載されたキャリッジ７が存在するので、上記空気流の流入により、空気が拡散されることで、効果的に光源などの冷却を行うことができる。
【００４６】
この構成では、光ディスク９を装着して筐体２にトレイ３を収納した場合、光ディスク９の回転によって筐体部２ａと光ディスク９との間の比較的温度の低い部分の空気をも効果的に筐体部２ｂとトレイ３との間に導くことができ、冷却効果が高い。
【００４７】
従来の構成に対して本実施の形態では、このキャリッジ７に搭載された光源や各種光学部材を含む部分の温度は、４℃以上低減できることが分かった。すなわち、従来の技術の様に、単に空気の流路を構成するのでは、筐体２の中央部分の厚みが１４ｍｍ以下或いは１０ｍｍ以下の光ディスク装置１においては効果的な冷却は困難であったが、本実施の形態の構成により、非常に効果的に光ディスクで発生した空気流をキャリッジ７のほとんどが収納される筐体部２ｂとトレイ３との間の空間に導くことができるので、極めて高い冷却性能を得ることができる。
【００４８】
本実施の形態では、光ディスク装着領域部３ｄと連なるように光ディスク装着領域外部３ｅに開口３ｆを設けており、装着された光ディスク９の外周部と開口３ｆとが極めて近い位置となるように（１０ｍｍ以内となるように）構成することができる。そのため、効果的に空気流を導くことができる。
【００４９】
また、本発明の実施の形態では、光ディスク装着領域部３ｄとトレイ３の前端面側、すなわちベゼル８を設けた側の端部との間に開口３ｆを設けている。さらに、開口６ａもスピンドルモータ５とトレイ３のベゼル８を設けた端部との間に亘って形成されており、しかも開口６ａの長手方向はベゼル８とは非垂直となるように傾斜して設けられている。このように開口３ｆをトレイ３のベゼル側に配置したことで、通常筐体２部分はパーソナルコンピュータなどの電子機器の中に収容され、ベゼル８側は電子機器の外側に配置される構成となるので、比較的冷却された空気などを流入させやすくなる。
【００５０】
図５から図８において、気体導入部材１０に設けられる開口３ｆを形成する外壁３ｇ、３ｈの例を示す。
【００５１】
例えば、図５に示すように、矢印Ａの方向に光ディスク９が回転すると、Ｂ方向に空気流が生じる。この空気流Ｂは、直接開口３ｆからトレイ３と筐体部２ｂの間に流れ込むとともに、外壁３ｈに沿って流れた空気流が外壁３ｇによって流れが阻害されて、開口３ｆを介してトレイ３と筐体部２ｂの間に流れ込む。
【００５２】
外壁３ｇは、図５に示すように、トレイ３が筐体２に収納される方向Ｃに対して略平行に形成してもよく、図６のように光ディスク９の回転中心を通る直線に対して略平行に形成してもよい。また、図７のように、外壁３ｇを凹部状としてもよく、図８のように外壁３ｇをトレイ３の側部に近づくに従って光ディスク装着領域外部３ｅの幅が狭くなるように傾斜させて形成してもよい。
【００５３】
本実施の形態では、気体流として空気を用いたが、他の気体を用いても良い。
【産業上の利用可能性】
【００５４】
本発明の光ディスク装置は、効率よく空気流を循環させることができるので、特に薄型及び小型化された光ディスク装置の熱対策を行うことができ、熱による記録再生特性の劣化などの不具合を抑えることができる。そのため、パーソナルコンピュータ、ノートブック型コンピュータなどの電子機器に適用して利用することができる。
【図面の簡単な説明】
【００５５】
【図１】本発明の一実施の形態の斜視図
【図２】本発明の一実施の形態における光ディスク装置における光ピックアップモジュールの斜視図
【図３】本発明の一実施の形態における光ディスク装置におけるトレイの斜視図
【図４】本発明の一実施の形態における光ディスク装置において空気流の流路を示す図
【図５】本発明の一実施の形態における光ディスク装置においてトレイを引き出した状態を示す平面図
【図６】本発明の一実施の形態における光ディスク装置においてトレイを引き出した状態を示す平面図
【図７】本発明の一実施の形態における光ディスク装置においてトレイを引き出した状態を示す平面図
【図８】本発明の一実施の形態における光ディスク装置においてトレイを引き出した状態を示す平面図
【図９】従来の光ディスク装置を示す斜視図
【符号の説明】
【００５６】
１    光ディスク装置
２    筐体
２ａ、２ｂ    筐体部
３    トレイ
３ａ    レール
３ｂ    レール保持部
３ｃ    開口
３ｄ    光ディスク装着領域部
３ｅ    光ディスク装着領域外部
３ｆ    開口
３ｇ    外壁
３ｈ    外壁
４    光ピックアップモジュール
５    スピンドルモータ
６    カバー
６ａ    開口
７    キャリッジ
８    ベゼル
９    光ディスク
１０    気体導入部材
１１    開口
【図１】
2005182916.tif 000003
【図２】
2005182916.tif 000004
【図３】
2005182916.tif 000005
【図４】
2005182916.tif 000006
【図５】
2005182916.tif 000007
【図６】
2005182916.tif 000008
【図７】
2005182916.tif 000009
【図８】
2005182916.tif 000010
【図９】
2005182916.tif 000011